(57)【要約】【課題】簡易な構成で、受信パケットの転送時の遅延時間の変動に影響を受けることなく、システムクロックの時刻を正確に維持できるようにする。【解決手段】デジタル放送受信装置は、デジタル放送に関わるパケットを入力するＴＳパケット入力部４と、このＴＳパケット入力部４から送られてくるパケットをデコードするＭＰＥＧデコード部５とを含む。ＳＴＣ再生部１０は、ＭＰＥＧデコード部５での同期処理に使用されるシステムクロックを再生する。バッファ１１〜１３の各々は、ＳＴＣ再生部１０で再生されたシステムクロックの値をパケットに付加し、当該パケットを一時的に記憶してから出力する。ＳＴＣ制御部２１は、ＴＳパケット入力部４から送られてくるパケットから、上記バッファにおいて付加されたシステムクロックの値と所定のクロック基準値とを取り出して比較し、その差に応じてＳＴＣ再生部１０で再生されるシステムクロックを補正する。【選択図】      図１
2005136913.tif 000002
【特許請求の範囲】
【請求項１】
デジタル放送に関わるパケットを入力するパケット入力部と、前記パケット入力部から送られてくるパケットをデコードするデコード部とを含むデジタル放送受信装置であって、
前記パケット入力部に設けられ、前記デコード部での同期処理に使用されるシステムクロックを再生するシステムクロック再生手段と、
前記パケット入力部に設けられ、前記システムクロック再生部で再生されたシステムクロックの値を前記入力されたパケットに付加し、当該パケットを一時的に記憶するバッファ手段と、
前記デコード部に設けられ、前記バッファ手段から出力されるパケットから、前記バッファ手段において付加されたシステムクロックの値と所定のクロック基準値とを取り出して比較し、その差に応じて前記システムクロック再生手段で再生されるシステムクロックを補正するシステムクロック制御手段と、
を具備することを特徴とするデジタル放送受信装置。
【請求項２】
前記バッファ手段は、前記システムクロックの値を前記入力されたパケットの先頭に配置して記憶することを特徴とする請求項１記載のデジタル放送受信装置。
【請求項３】
前記入力されたパケットは、ヘッダ部とアダプテーション／ペイロード部とを有しており、
前記バッファ手段は、前記システムクロックの値を前記ヘッダ部と前記アダプテーション／ペイロード部との間に配置して記憶することを特徴とする請求項１記載のデジタル放送受信装置。
【請求項４】
前記バッファ手段は、前記システムクロックの値を前記入力されたパケットの最後尾に配置して記憶することを特徴とする請求項１記載のデジタル放送受信装置。
【請求項５】
前記バッファ手段は、前記システムクロックの値にリザーブドビットを加えて所定のバイト長にしたフィールドを前記入力されたパケットに付加して記憶することを特徴とする請求項２乃至４のいずれかに記載のデジタル放送受信装置。
【請求項６】
前記リザーブドビットは、前記システムクロックの値の前方に配置されることを特徴とする請求項５記載のデジタル放送受信装置。
【請求項７】
前記リザーブドビットは、前記システムクロックの値の後方に配置されることを特徴とする請求項５記載のデジタル放送受信装置。
【請求項８】
前記システムクロックの値は、システムクロックベース部とシステムクロック拡張部とに分けて配置され、
前記リザーブドビットは、前記システムクロックベース部と前記システムクロック拡張部との間に配置されることを特徴とする請求項５記載のデジタル放送受信装置。
【請求項９】
デジタル放送に関わるパケットを入力するパケット入力部と、前記パケット入力部から送られてくるパケットをデコードするデコード部とを含むデジタル放送受信装置の制御方法であって、
前記パケット入力部において、前記デコード部での同期処理に使用されるシステムクロックを再生し、当該再生したシステムクロックの値を前記入力されたパケットに付加し、当該パケットを一時的にバッファに記憶した後に出力し、
前記デコード部において、前記バッファから出力されるパケットから、前記パケット入力部で付加したシステムクロックの値と所定のクロック基準値とを取り出して比較し、その差に応じて前記パケット入力部で再生されるシステムクロックを補正する、
ことを特徴とするデジタル放送受信装置の制御方法。
【発明の詳細な説明】
【技術分野】
【０００１】
本発明は、ＢＳ（Broadcasting Satellite）デジタル放送、ＣＳ（Communication Satellite）デジタル放送、地上波デジタル放送などのデジタル放送を受信することが可能なデジタル放送受信装置及びその制御方法に関する。
【背景技術】
【０００２】
現在、ＢＳデジタル放送やＣＳデジタル放送が実施されており、地上波デジタル放送も開始されようとしている状況にある。
【０００３】
ＢＳ/ＣＳデジタル放送、地上波デジタル放送では、ビデオ、オーディオ、及びその他の情報を多重化したものであるＭＰＥＧ２（Moving Picture Expert Group 2）トランスポートストリームが使用されている。このトランスポートストリームには、オーディオやビデオの同期に使用されるＰＣＲ（Program Clock Reference）値が記録される。
【０００４】
デジタル放送受信装置は、一般に、チューナ及び誤り訂正部で処理された後のトランスポートストリームパケットを入力するパケット入力部と、このパケット入力部に入力された後のパケットのデコード処理を行うデコード部とを有している。デコード部には、ＳＴＣ（System Time Clock）と呼ばれるシステムクロックを再生するＳＴＣ再生部（システム時計）が備えられる。このＳＴＣ再生部は、受信されるパケット中のＰＣＲ値を参照することで当該ＳＴＣを補正するようにしている。
【０００５】
ところで、上記パケット入力部には、入力されるパケットを一時記憶するバッファが設けられており、当該パケットを入力してからデコード部へ出力するまでに遅延時間が生じる。この遅延時間は一定ではなく変動する。その結果、デコーダ側のＳＴＣを正確に補正することができず、正確な時刻を維持することができないという問題がある。
【０００６】
遅延時間の変動の問題を解決する技術として、例えば特許文献１が挙げられる。この文献では、放送局側のストリーム多重化装置においてパケットが入力部に入力されてから出力部より出力されるまでの時間を求め、求めた時間に応じてパケットに添付されているＰＣＲの補正を行う。加入者宅側のデコーダは、受信されるパケットに添付されているＰＣＲの値を参照してデコーダ自身のシステムクロックを修正する。これにより、デコーダ側のシステムクロックの歩調が乱れないようにしている。
【特許文献１】特開２０００−１７４８１３号公報
【発明の開示】
【発明が解決しようとする課題】
【０００７】
しかしながら、上記文献の技術では、入力／出力時刻測定部、ＰＣＲ補正項算出部、ＰＣＲ書換部などの機構を装置の中に新たに設けなければならないため、構成が複雑となり、製造コストが増加するという問題がある。上記文献の技術は、放送局側における遅延時間の変動の問題を解決するためには適しているかもしれないが、加入者宅側（デジタル放送受信装置側）における遅延時間の変動の問題を解決するのに適しているとは言い難い。
【０００８】
本発明は上記実情に鑑みてなされたものであり、簡易な構成で、受信パケットの転送時の遅延時間の変動に影響を受けることなく、システムクロックの時刻を正確に維持することができるデジタル放送受信装置及びその制御方法を提供することを目的とする。
【課題を解決するための手段】
【０００９】
本発明に係るデジタル放送受信装置は、デジタル放送に関わるパケットを入力するパケット入力部と、前記パケット入力部から送られてくるパケットをデコードするデコード部とを含むデジタル放送受信装置であって、前記パケット入力部に設けられ、前記デコード部での同期処理に使用されるシステムクロックを再生するシステムクロック再生手段と、前記パケット入力部に設けられ、前記システムクロック再生部で再生されたシステムクロックの値を前記入力されたパケットに付加し、当該パケットを一時的に記憶するバッファ手段と、前記デコード部に設けられ、前記バッファ手段から出力されるパケットから、前記バッファ手段において付加されたシステムクロックの値と所定のクロック基準値とを取り出して比較し、その差に応じて前記システムクロック再生手段で再生されるシステムクロックを補正するシステムクロック制御手段とを具備することを特徴とする。
【００１０】
また、本発明に係るデジタル放送受信装置の制御方法は、デジタル放送に関わるパケットを入力するパケット入力部と、前記パケット入力部から送られてくるパケットをデコードするデコード部とを含むデジタル放送受信装置の制御方法であって、前記パケット入力部において、前記デコード部での同期処理に使用されるシステムクロックを再生し、当該再生したシステムクロックの値を前記入力されたパケットに付加し、当該パケットを一時的にバッファに記憶した後に出力し、前記デコード部において、前記バッファから出力されるパケットから、前記パケット入力部で付加したシステムクロックの値と所定のクロック基準値とを取り出して比較し、その差に応じて前記パケット入力部で再生されるシステムクロックを補正することを特徴とする。
【発明の効果】
【００１１】
簡易な構成で、受信パケットの転送時の遅延時間の変動に影響を受けることなく、システムクロックの時刻を正確に維持することができる。
【発明を実施するための最良の形態】
【００１２】
以下、図面を参照して、本発明の実施形態を説明する。  
図１は、本発明の一実施形態に係るデジタル放送受信装置の構成を示すブロック図である。  
本実施形態によるデジタル放送受信装置は、ＢＳデジタル放送、ＣＳデジタル放送、地上波デジタル放送の各番組データを受信することが可能である。また、これらの各放送では、ビデオ、オーディオ、及びその他の情報を多重化したものであるＭＰＥＧ２トランスポートストリームが使用されている。このトランスポートストリームには、オーディオやビデオの同期に使用されるＰＣＲの値が記録される。
【００１３】
上記デジタル放送受信装置は、チューナ／誤り訂正部１〜３、ＴＳパケット入力部４、ＭＰＥＧデコード部５、モニタ６、及びスピーカ７を備えている。
【００１４】
チューナ／誤り訂正部１は、アンテナを通じて受信されるＢＳデジタル放送の信号に対して選局処理、誤り訂正処理などを施し、ＭＰＥＧ２トランスポートストリームパケット（以下、ＭＰＥＧ−ＴＳパケットと呼ぶ）としてバッファ１１へ出力する。
【００１５】
チューナ／誤り訂正部２は、アンテナを通じて受信されるＣＳデジタル放送の信号に対して選局処理、誤り訂正処理などを施し、ＭＰＥＧ−ＴＳパケットとしてバッファ１２へ出力する。
【００１６】
チューナ／誤り訂正部３は、アンテナを通じて受信される地上波デジタル放送の信号に対して選局処理、復号処理、誤り訂正処理などを施し、ＭＰＥＧ−ＴＳパケットとしてバッファ１３へ出力する。
【００１７】
ＴＳパケット入力部４は、チューナ／誤り訂正部１〜３から出力されるＭＰＥＧ−ＴＳパケットを入力処理するものであり、ＳＴＣ再生部１０及びバッファ１１〜１３を有する。
【００１８】
ＳＴＣ再生部１０は、ＭＰＥＧデコード部５での同期処理に使用されるＳＴＣと呼ばれるシステムクロックを再生するものであり、システム時計に相当するものである。このＳＴＣ再生部１０は、後述するＳＴＣ制御部２１から送られてくる制御信号に従って自身のＳＴＣを必要に応じて補正する。これにより、正確な時刻が維持されるようになっている。  
また、ＳＴＣ再生部１０は、ＳＴＣ値（即ち、現在の時刻を示す値）を、バッファ１１〜１３へ出力すると共に、ＭＰＥＧデコード部５内の後述するバッファ２３，２５へ出力する。
【００１９】
バッファ１１は、チューナ／誤り訂正部１から送られてくるＭＰＥＧ−ＴＳパケットを入力すると同時に、ＳＴＣ再生部１０から送られてくるＳＴＣ値を入力し、この入力したＳＴＣの値を当該入力したＭＰＥＧ−ＴＳパケットに付加し、そのパケットを一時的に記憶するものである。
【００２０】
バッファ１２は、チューナ／誤り訂正部２から送られてくるＭＰＥＧ−ＴＳパケットを入力すると共に、ＳＴＣ再生部１０から送られてくるＳＴＣ値を入力し、この入力したＳＴＣの値を当該入力したＭＰＥＧ−ＴＳパケットに付加し、そのパケットを一時的に記憶するものである。
【００２１】
バッファ１３は、チューナ／誤り訂正部３から送られてくるＭＰＥＧ−ＴＳパケットを入力すると共に、ＳＴＣ再生部１０から送られてくるＳＴＣ値を入力し、この入力したＳＴＣの値を当該入力したＭＰＥＧ−ＴＳパケットに付加し、そのパケットを一時的に記憶するものである。  
上記バッファ１１〜１３に一時記憶された各ＭＰＥＧ−ＴＳパケットは、出力順を調停されてから出力され、ＴＳパケット入力部４からＭＰＥＧデコード部５へ転送される。
【００２２】
一方、ＭＰＥＧデコード部５は、ＴＳパケット入力部４から転送されてくるＭＰＥＧ−ＴＳパケットをデコード処理するものであり、ＰＩＤフィルタ２０、ＳＴＣ制御部２１、ビデオデコーダ２２、ビデオ用バッファ２３、オーディオデコーダ２４、及びオーディオ用バッファ２５を有する。
【００２３】
ＰＩＤフィルタ２０は、ＴＳパケット入力部４側のバッファ１１〜１３から出力されるＭＰＥＧ−ＴＳパケットを入力して、パケット毎に予め付加されている識別子であるＰＩＤ（Packet Identifier）に従ってフィルタリングを行うものであり、ＰＣＲ値を有するＭＰＥＧ−ＴＳパケットをＳＴＣ制御部２１へ出力し、ビデオデータを有するＭＰＥＧ−ＴＳパケットをビデオデコーダ２２へ出力し、オーディオデータを有するＭＰＥＧ−ＴＳパケットをオーディオデコーダ２４へ出力する。
【００２４】
ＳＴＣ制御部２１は、ＰＩＤフィルタ２０から送られてくるＭＰＥＧ−ＴＳパケットから、上記ＴＳパケット入力部４内のバッファにおいて付加されたＳＴＣ値と、当該ＭＰＥＧ−ＴＳパケットに予め付加されているＰＣＲ値とを取り出して比較し、その差に応じてＳＴＣ再生部１０で再生されるＳＴＣを補正するための制御信号を出力するものである。例えば、ＳＴＣ値がＰＣＲ値よりも大きければ（即ち、ＳＴＣが進んでいれば）、ＳＴＣ値を下げる（即ち、ＳＴＣを遅らせる）ように補正するための制御信号を出力する。一方、ＳＴＣ値がＰＣＲ値よりも小さければ（即ち、ＳＴＣが遅れていれば）、ＳＴＣ値を上げる（即ち、ＳＴＣを進ませる）ように補正するための制御信号を出力する。
【００２５】
ビデオデコーダ２２は、ＰＩＤフィルタ２０から送られてくるＭＰＥＧ−ＴＳパケット内のビデオデータをデコードするものであり、デコード後のデータをビデオ用バッファ２３へ出力する。
【００２６】
ビデオ用バッファ２３は、ビデオデコーダ２２から送られてくるビデオデータを一時記憶し、当該ビデオデータをＳＴＣ再生部１０から送られてくるＳＴＣ値に同期して出力する。具体的には、ＳＴＣ再生部１０から送られてくるＳＴＣ値と、当該ＭＰＥＧ−ＴＳパケットに予め付加されている時刻管理情報であるＰＴＳ（Presentation Time Stamp）値とを比較し、当該ＰＴＳ値がＳＴＣ値に一致した時点でビデオデータをモニタ６へ出力する。
【００２７】
オーディオデコーダ２４は、ＰＩＤフィルタ２０から送られてくるＭＰＥＧ−ＴＳパケット内のオーディオデータをデコードするものであり、デコード後のデータをオーディオ用バッファ２５へ出力する。
【００２８】
オーディオ用バッファ２５は、オーディオデコーダ２４から送られてくるオーディオデータを一時記憶し、当該オーディオデータをＳＴＣ再生部１０から送られてくるＳＴＣ値に同期して出力する。具体的には、ＳＴＣ再生部１０から送られてくるＳＴＣ値と、当該ＭＰＥＧ−ＴＳパケットに予め付加されているＰＴＳ値とを比較し、当該ＰＴＳ値がＳＴＣ値に一致した時点でオーディオデータをスピーカ７へ出力する。
【００２９】
モニタ６は、ビデオ用バッファ２３から送られてくるビデオデータを映像として出力するものである。スピーカ７は、オーディオ用バッファ２５から送られてくるオーディオデータを音声として出力するものである。
【００３０】
上記構成においては、例えば、ＴＳパケット入力部４内の各要素１０〜１３をハードウェアで実現し、ＭＰＥＧデコード部５内の各要素２０〜２５をソフトウェアで実現することが可能である。この場合、上記ソフトウェアを構成するプログラムを記憶及び実行するためのＲＡＭ及びＣＰＵをＭＰＥＧデコード部５内に設けておけばよい。
【００３１】
次に、図２〜図９を参照して、入力バッファ１１〜１３においてＭＰＥＧ−ＴＳパケットにＳＴＣ値を付加して記憶する際の各種の形態について説明する。
【００３２】
図２は、ＳＴＣ値が付加される前のＭＰＥＧ−ＴＳパケットの概略構成を示す図である。このＭＰＥＧ−ＴＳパケットは、４バイトのヘッダ（Header）部と、１８４バイトのアダプテーション／ペイロード（Adaptation or Payload）部とを有する。なお、前述のＰＩＤは、ヘッダ部の中に含まれている。また、前述のＰＣＲ値は、アダプテーション／ペイロード部の中に含まれている。
【００３３】
図３は、ＭＰＥＧ−ＴＳパケットの先頭にＳＴＣ値（４２ビット分）を付加した場合の構成例を示す図である。このようにすると、ビデオデータやオーディオデータをデコードする際に不要となるＳＴＣ値をカットしやすくなる。
【００３４】
図４は、ＭＰＥＧ−ＴＳパケットの先頭にＳＴＣ値を付加するにあたり、ＳＴＣ値（４２ビット分）にリザーブドビット（６ビット分）を加えて６バイト長にしたフィールドを付加した場合の構成例を示す図である。このようにすると、付加したフィールドがバイト単位で構成されるので、ＭＰＥＧデコード部５側での処理が容易となる。
【００３５】
図５は、ＭＰＥＧ−ＴＳパケットの先頭にＳＴＣ値を付加するにあたり、ＳＴＣ値（４２ビット分）にリザーブドビット（６ビット分）を加えて６バイト長にし、更にその前方にＮバイト長のリザーブドバイトを加えることにより、８バイト長あるいは１６バイト長にしたフィールドを付加した場合の構成例を示す図である。このように、付加するフィールドのバイト長を必要に応じて変えることが可能である。
【００３６】
図６は、ＭＰＥＧ−ＴＳパケットの先頭にＳＴＣ値を付加するにあたり、ＳＴＣ値（４２ビット分）にリザーブドビット（６ビット分）を加えて６バイト長にし、更にその後方にＮバイト長のリザーブドバイトを加えることにより、８バイト長あるいは１６バイト長にしたフィールドを付加した場合の構成例を示す図である。このように、Ｎバイト長のリザーブドバイトの位置を適宜変えてもよい。
【００３７】
図７は、ＭＰＥＧ−ＴＳパケットにおけるヘッダ部とアダプテーション／ペイロード部との間にＳＴＣ値（４２ビット分）を付加した場合の構成例を示す図である。また、図８は、ＭＰＥＧ−ＴＳパケットの最後尾にＳＴＣ値（４２ビット分）を付加した場合の構成例を示す図である。このように、ＳＴＣ値を付加する位置を適宜変えてもよい。
【００３８】
図９は、図４に示される６バイトのフィールド（ＳＴＣ値＋リザーブドビット）を構成する際の各種の形態を示す図である。なお、ＳＴＣ値（４２ビット分）は、３３ビット分のＳＴＣベース（STC base）部と、９ビット分のＳＴＣ拡張（STC extension）部とに分けて配置される。
【００３９】
図９（ａ）は、リザーブドビット（６ビット分）、ＳＴＣベース部（３３ビット分）、及びＳＴＣ拡張部（９ビット分）が、この順序で配置された場合の構成例を示す図である。  
図９（ｂ）は、ＳＴＣ拡張部（９ビット分）、ＳＴＣベース部（３３ビット分）、及びリザーブドビット（６ビット分）が、この順序で配置された場合の構成例を示す図である。  
図９（ｃ）は、ＳＴＣベース部（３３ビット分）、リザーブドビット（６ビット分）、及びＳＴＣ拡張部（９ビット分）が、この順序で配置された場合の構成例を示す図である。
【００４０】
このように、ＭＰＥＧ−ＴＳパケットにＳＴＣ値を付加するにあたり、種々な形態が挙げられる。
【００４１】
次に、図１０〜図１３を参照して、本実施形態に係るデジタル放送受信装置における処理の流れを説明する。
【００４２】
ＴＳパケット入力部４内のバッファ１１〜１３の各々は、対応するチューナ／誤り訂正部からＭＰＥＧ−ＴＳパケットが送られてきた場合、当該ＭＰＥＧ−ＴＳパケットを入力し（図１０のステップＳ１）、同時に、ＳＴＣ再生部１０から送られてくるＳＴＣ値を入力し（ステップＳ２）、入力したＳＴＣ値をＭＰＥＧ−ＴＳパケットに付加して、当該パケットを一時的に記憶する（ステップＳ３）。
【００４３】
各バッファに一時記憶された各ＭＰＥＧ−ＴＳパケットは、出力順を調停されてから出力され、ＴＳパケット入力部４からＭＰＥＧデコード部５へ転送される（ステップＳ４）。
【００４４】
ＰＩＤフィルタ２０は、ＴＳパケット入力部４側から転送されてくるＭＰＥＧ−ＴＳパケットを入力し、ＰＩＤに基づいてフィルタリングを行い、ａ）ＰＣＲ値を有するＭＰＥＧ−ＴＳパケット、ｂ）ビデオデータを有するＭＰＥＧ−ＴＳパケット、ｃ）オーディオデータを有するＭＰＥＧ−ＴＳパケット、にそれぞれ分けて出力する（ステップＳ５）。
【００４５】
ＳＴＣ制御部２１は、ＰＩＤフィルタ２０から送られてくるＭＰＥＧ−ＴＳパケットから、上記ＴＳパケット入力部４内のバッファにおいて付加されたＳＴＣ値と、当該ＭＰＥＧ−ＴＳパケットに予め付加されているＰＣＲ値とを取り出して比較し、その差に応じてＳＴＣ再生部１０で再生されるＳＴＣを補正するための制御信号を出力する（図１１のステップＡ１）。
【００４６】
ＳＴＣ再生部１０は、上記制御信号に従ってＳＴＣを補正し、ＳＴＣ値をＴＳパケット入力部４内のバッファ１１〜１３へ出力すると共に、ＭＰＥＧデコード部５内のビデオ用バッファ２３及びオーディオ用バッファ２５へ出力する（ステップＡ２）。
【００４７】
一方、ビデオデコーダ２２は、ＰＩＤフィルタ２０から送られてくるＭＰＥＧ−ＴＳパケット内のビデオデータをデコードし、デコード後のデータをビデオ用バッファ２３へ出力する（図１２のステップＢ１）。
【００４８】
ビデオ用バッファ２３は、ビデオデコーダ２２から送られてくるビデオデータを一時記憶し、当該ビデオデータをＳＴＣ再生部１０から送られてくるＳＴＣ値に同期して出力する（ステップＢ２）。これにより、モニタ６から映像が出力される。
【００４９】
また、オーディオデコーダ２４は、ＰＩＤフィルタ２０から送られてくるＭＰＥＧ−ＴＳパケット内のオーディオデータをデコードし、デコード後のデータをオーディオ用バッファ２５へ出力する（図１３のステップＣ１）。
【００５０】
オーディオ用バッファ２５は、オーディオデコーダ２４から送られてくるオーディオデータを一時記憶し、当該オーディオデータをＳＴＣ再生部１０から送られてくるＳＴＣ値に同期して出力する（ステップＣ２）。これにより、スピーカ７から音声が出力される。
【００５１】
このように本実施形態によれば、ＭＰＥＧ−ＴＳパケットがＴＳパケット入力部４内のバッファに入力される時点を基準にしてＳＴＣ再生部１０におけるＳＴＣ値が補正されるため、ＭＰＥＧ−ＴＳパケットがＴＳパケット入力部４に入力されてからＭＰＥＧデコード部５へ出力されるまでの遅延時間が一定でなくても、正確な時刻管理を維持でき、ＭＰＥＧデコード部５での正確な同期処理を維持できる。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】本発明の一実施形態に係るデジタル放送受信装置の構成を示すブロック図。
【図２】ＳＴＣ値が付加される前のＭＰＥＧ−ＴＳパケットの概略構成を示す図。
【図３】ＭＰＥＧ−ＴＳパケットの先頭にＳＴＣ値（４２ビット分）を付加した場合の構成例を示す図。
【図４】ＭＰＥＧ−ＴＳパケットの先頭にＳＴＣ値を付加するにあたり、ＳＴＣ値（４２ビット分）にリザーブドビット（６ビット分）を加えて６バイト長にしたフィールドを付加した場合の構成例を示す図。
【図５】ＭＰＥＧ−ＴＳパケットの先頭にＳＴＣ値を付加するにあたり、ＳＴＣ値（４２ビット分）にリザーブドビット（６ビット分）を加えて６バイト長にし、更にその前方にＮバイト長のリザーブドバイトを加えることにより、８バイト長あるいは１６バイト長にしたフィールドを付加した場合の構成例を示す図。
【図６】ＭＰＥＧ−ＴＳパケットの先頭にＳＴＣ値を付加するにあたり、ＳＴＣ値（４２ビット分）にリザーブドビット（６ビット分）を加えて６バイト長にし、更にその後方にＮバイト長のリザーブドバイトを加えることにより、８バイト長あるいは１６バイト長にしたフィールドを付加した場合の構成例を示す図。
【図７】ＭＰＥＧ−ＴＳパケットにおけるヘッダ部とアダプテーション／ペイロード部との間にＳＴＣ値（４２ビット分）を付加した場合の構成例を示す図。
【図８】ＭＰＥＧ−ＴＳパケットの最後尾にＳＴＣ値（４２ビット分）を付加した場合の構成例を示す図。
【図９】図４に示される６バイトのフィールド（ＳＴＣ値＋リザーブドビット）を構成する際の各種の形態を示す図。
【図１０】同実施形態に係るデジタル放送受信装置における処理の流れの一部を示す第１のフローチャート。
【図１１】同実施形態に係るデジタル放送受信装置における処理の流れの一部を示す第２のフローチャート。
【図１２】同実施形態に係るデジタル放送受信装置における処理の流れの一部を示す第３のフローチャート。
【図１３】同実施形態に係るデジタル放送受信装置における処理の流れの一部を示す第４のフローチャート。
【符号の説明】
【００５４】
１〜３…チューナ／誤り訂正部、４…ＴＳパケット入力部、５…ＭＰＥＧデコード部、６…モニタ、７…スピーカ、１０…ＳＴＣ再生部、１１〜１３…バッファ、２０…ＰＩＤフィルタ、２１…ＳＴＣ制御部、２２…ビデオデコーダ、２３…ビデオ用バッファ、２４…オーディオデコーダ、２５…オーディオ用バッファ。
【図１】
2005136913.tif 000003
【図２】
2005136913.tif 000004
【図３】
2005136913.tif 000005
【図４】
2005136913.tif 000006
【図５】
2005136913.tif 000007
【図６】
2005136913.tif 000008
【図７】
2005136913.tif 000009
【図８】
2005136913.tif 000010
【図９】
2005136913.tif 000011
【図１０】
2005136913.tif 000012
【図１１】
2005136913.tif 000013
【図１２】
2005136913.tif 000014
【図１３】
2005136913.tif 000015